(57)【特許請求の範囲】
【請求項１】
光路開口を有する基板と、
前記光路開口の通過光量を調整する複数の絞り羽根と、
前記複数の絞り羽根を開閉動する作動部材と、
この作動部材を駆動する駆動手段と、
を備え、
前記複数の絞り羽根は、
樹脂フィルムで形成された摺動部材を介して前記基板に支持され、
前記基板と摺動部材には、前記複数の絞り羽根に形成された突起と嵌合して羽根を開閉方向に案内するガイド溝が設けられ、
前記基板のガイド溝は凹陥溝で、前記摺動部材のガイド溝は貫通孔で形成されていると共に、摺動部材の貫通孔は基板の凹陥溝より狭小幅で前記絞り羽根の突起と係合して開閉方向に絞り羽根を案内することを特徴とする光量調整装置。
【請求項２】
前記摺動部材は、中央に光路開口を有するリング形状に形成されていることを特徴とする請求項１に記載の光量調整装置。
【請求項３】
前記基板のガイド溝と前記摺動部材のガイド溝は、前記複数の絞り羽根の開閉動作方向に形成されていることを特徴とする請求項１に記載の光量調整装置。
【請求項４】
前記複数の絞り羽根は、
樹脂シートを型抜き成型で形成されていると共に、型抜き成型時のダレ面が前記摺動部材と接するように支持されていることを特徴とする請求項１に記載の光量調整装置。
【請求項５】
前記作動部材は、前記複数の絞り羽根を同時に開閉動するリング形状に形成され、
前記複数の絞り羽根は前記基板と前記作動部材との間に支持されていることを特徴とする請求項１に記載の光量調整装置。
【請求項６】
前記作動部材には、
前記複数の絞り羽根に形成された第２の突起と係合して羽根を開閉動させる係合孔が形成されていることを特徴とする請求項５に記載の光量調整装置。
【発明の詳細な説明】
【技術分野】
【０００１】
本発明はビデオカメラ、スチールカメラなどの撮像装置、或いはプロジェクタその他の投影装置に内蔵され、撮影光量、投映光量などの光量を調整する光量調整装置に関する。
【背景技術】
【０００２】
一般に、この種の光量調整装置は、撮影光路（或いは投影光路）に光軸開口を有する基板を配置し、この基板に複数枚の光量調節羽根を開閉自在に配置して光軸開口を大口径又は小口径に光量調整する装置として知られている。
【０００３】
例えば特許文献１には、基板に形成した光軸開口の周囲に複数枚の羽根を配置し、光路口径を小径から大径まで相似形で開閉する虹彩絞り装置が開示されている。このような絞り装置は、多数枚の羽根で円形状に近い口径で多段階に光量調整する特徴が知られている。
【０００４】
同文献には、中央に光路開口を有する上下一対のリング状基板の間に複数の絞り羽根を配置し、この複数の絞り羽根を基板の一方に設けた駆動ユニットで開閉する開閉機構が開示されている。
【０００５】
また特許文献２には、文献１と同様にリング形状に形成した基板間に複数の絞り羽根を配置し、基板の一方に設けた駆動ユニットで羽根を開閉動する装置が開示されている。このように光路開口の周囲に複数の羽根を鱗状に配置し、基板の一方に設けた駆動ユニットで開閉動する装置は広く知られている。
【０００６】
そして複数の羽根を開閉動する機構は、基板に羽根の運動軌跡に沿ってガイド溝を設け、このガイド溝に羽根に植設したピンを嵌合し、他方の基板に設けた伝動リングで羽根を所定方向に回動させることによって複数の羽根の運動を規制している。このため羽根を支持する基板には羽根の枚数に応じたガイド溝が光路開口の周縁に配置されている。このガイド溝の構造は特許文献１の図４に開示されている。
【０００７】
また特許文献２には、基板の光軸開口を２枚の羽根で光量調整する装置が開示されている。そして基板には複数の羽根を開閉動する電磁駆動ユニットが設けられ、この駆動ユニットの回転を特許文献１の装置は駆動リングで複数の羽根を同時に回動移動し、特許文献２の装置は駆動アームで２枚の羽根を同時に摺動移動している。
【先行技術文献】
【特許文献】
【０００８】
【特許文献１】特開２００９−２０４３８号公報（図１、図４）
【特許文献２】特開２００６−３２２９７９号公報（図１）
【発明の概要】
【発明が解決しようとする課題】
【０００９】
上述のように光路開口の周縁に複数の羽根を配置し、この羽根を開閉動して光路口径を大小調製する絞り装置は、特許文献１、２などで既に知られている。この場合、複数の絞り羽根は、合成樹脂、金属などで形成した上下一対の基板間に支持され、羽根先端部を光路開口に臨ませて基端部を光路開口周縁の基板に支持している。
【００１０】
そこで従来は、基板の一方に例えばリング形状の作動部材を設け、この作動部材を駆動ユニットで回動させ、その運動を各羽根部材に伝動している。そして基板の他方には羽根先端部を正確に開閉動させるため、その運動方向にガイド孔を設け、羽根に設けたピンを嵌合させている。
【００１１】
このような構造の羽根開閉機構では、光路開口の周縁に複数のガイド溝を基板に設けることとなり、従来はこのガイド孔を基板の表裏面を貫通するスリット形状に構成して基板と一体成型している。
【００１２】
一方、羽根部材は合成樹脂のフィルム材（例えばポリエチレンフィルム）を所定形状に型抜き成型し、その後、このフィルム材にピンを溶着するなど植設している。
【００１３】
図８に従来の羽根開閉機構におけるガイド孔と植設ピンとの嵌合状態を説明する。同図（ａ）に示すように基板１００には、型成型でガイド孔１０１が形成され、このガイド孔に羽根１０４の植設ピン１０２が嵌合している。このときガイド孔１０１は型成形時の抜きテーパθと孔内径との間に摺動のためのギャップが必要となる。このテーパとキャップによって植設ピン１０２が同図（ｂ）のように傾くことがある。その原因は植設ピンの先端がガイド孔内壁と点接触することによるが、この植設ピンの傾きによって羽根が傾いて正確な開閉動作が得られない。
【００１４】
この問題と同時に同図（ｃ）に示すようにガイド孔１０１は羽根の開閉方向の軌跡に沿った長孔に形成されているため同図矢印方向に外部の光が光路開口１０３に向けて入り込む。このガイド孔が光路開口の周縁に複数形成されるため外部光が光路内に散入する問題がある。
【００１５】
そこで本発明者は羽根と基板の間に樹脂フィルムのシートを介在させ、羽根の円滑な開閉動作を得ると同時に上述問題を解決するとの着想に至った。このため基板には外部の光が散入しない凹陥溝を形成し、羽根を開閉方向に規制するガイド溝を樹脂フィルムに形成することを案出するに至った。
【００１６】
本発明は、光路開口を複数の羽根部材で開閉自在に覆って光量調節する際に、羽根の開閉運動が円滑で正確に光量調整することが可能であると共に外部光が光路内に進入する恐れの少ない光量調整装置の提供をその課題としている。
【課題を解決するための手段】
【００１７】
上記課題を達成するため本発明は、樹脂フィルムで形成した摺動部材を介して複数の絞り羽根を基板に開閉自在に支持し、各絞り羽根に形成した突起をこの摺動部材と基板それぞれに形成したガイド溝に嵌合する。このとき基板のガイド溝は凹陥溝で、摺動部材のガイド溝は貫通孔で形成すると共に、摺動部材の貫通孔は基板の凹陥溝より狭小幅で絞り羽根の突起と係合して開閉方向に絞り羽根を案内するように構成することを特徴としている。
【００１８】
更にその構成を詳述すると、光路開口を有する基板（１１）と、光路開口の通過光量を調整する複数の絞り羽根（２１）と、複数の絞り羽根を開閉動する作動部材（３１）と、この作動部材を駆動する駆動手段（Ｍ）とを備える。そして複数の絞り羽根は、樹脂フィルムで形成された摺動部材（１５）を介して基板に支持し、基板と摺動部材には、複数の絞り羽根に形成された突起と嵌合して羽根を開閉方向に案内するガイド溝（１３，１６）を設ける。この基板のガイド溝（１３）は凹陥溝で、摺動部材のガイド溝（１６）は貫通孔で形成すると共に、摺動部材の貫通孔は基板の凹陥溝より狭小幅で絞り羽根の突起（２２）と係合して開閉方向に絞り羽根を案内するように構成する。
【発明の効果】
【００１９】
本発明は、光路開口を有する基板に複数の絞り羽根を樹脂フィルムで形成した摺動部材を介して開閉自在に支持し、各絞り羽根に形成した突起を摺動部材の貫通孔と基板の凹陥溝に嵌合し、この貫通孔を凹陥溝より狭小幅で羽根の突起と係合させたものであるから以下の効果を奏する。
【００２０】
複数の絞り羽根は、樹脂フィルムで形成した摺動部材を介して基板に開閉自在に支持されているから、基板を摩擦係数の大きい材質で構成しても羽根の円滑な開閉運動を得ることが出来る。従って基板を例えば強化繊維を混入した樹脂成型で作製し、基板表面に繊維が飛び出しても羽根が直接接することがないから、羽根の円滑な運動を妨げることがない。
【００２１】
また、各絞り羽根に形成した突起を基板と摺動部材に形成したガイド溝で開閉方向に運動規制する際に、摺動部材のガイド溝を基板のガイド溝より狭小幅に形成して羽根の突起と係合させてあるから羽根部材は摺動部材のガイド溝に沿って開閉することとなる。このため基板のガイド溝は羽根の運動に影響を及ぼすことがないからその製作が容易である。特に、基板を型成形する場合に抜きテーパなど溝形状を自由に設定することが出来る。
【００２２】
これと共に基板のガイド溝は凹陥溝で形成してあるから羽根の運動軌跡に沿って形成するガイド溝から外部光が光路内に進入することがない。
【図面の簡単な説明】
【００２３】
【図１】本発明に係わる光量調整装置の組立分解図。
【図２】本発明に係わる光量調整装置の一実施形態を示し、基板と羽根の組み立て状態の説明図。
【図３】図２の装置における押さえ基板と羽根の組み立て状態の説明図
【図４】図２の装置における部品の説明図を示し、（ａ）は第２摺動リングであり、（ｂ）は第１摺動リングであり、（ｃ）は地板を示す。
【図５】（ａ）は絞り羽根の形状説明図であり、（ｂ）は羽根の開閉動作状態の説明図。
【図６】（ａ）は羽根の形状図であり、（ｂ）はガイドピンとガイド溝との嵌合状態を示し、（ｃ）は（ｂ）の拡大説明図。
【図７】図５の装置における電磁駆動ユニットの説明図。
【図８】従来の羽根開閉機構の説明図であり、（ａ）は嵌合状態を示し、（ｂ）は羽根が傾いた状態を示し、（ｃ）は（ａ）の斜視図。
【発明を実施するための形態】
【００２４】
以下図示の好適な実施の形態に基づいて本発明を説明する。図１は本発明に係わる光量調整装置Ａの組立分解図である。図１に示すように光量調整装置Ａは、第１基板組（地板組）１と、羽根組２と、駆動リング組３と、第２基板組４（押さえ板組）で構成されている。そして第１基板組１に羽根組２が組み込まれ、この羽根組２の上に駆動リング組３と第２基板組４が組み込まれている。このような構成によって羽根組２は第１基板組１と第２基板組４にサンドイッチ状に挟持され、第１第２基板組１，４を固定ビスで一体化（不図示）している。
【００２５】
［第１基板組の構成］
図２に従って第１基板組１と羽根組２の構成について説明する。第１基板組１は地板１１と摺動リング１５（摺動部材；以下同様）で構成され、羽根組２は複数の絞り羽根２１ａ〜２１ｉで構成されている。各構成について説明する。
【００２６】
地板１１は光路開口１２を有し、撮像装置の鏡筒形状に応じた形状に構成される。この地板１１は金属、樹脂などで装置に強靭性を持たせる材質・寸法に形成されている。図示の地板１１は、ガラス繊維などの強化繊維を混入した合成樹脂のモールド成形で形成している。これは地板１１を薄型で小型軽量に構成するためである。
【００２７】
地板１１は中央部に光路開口１２が設けられ、開口周縁は絞り羽根を支持する羽根支持面１１ｘ（平坦面若しくは凹凸面）を形成し、この支持面に絞り羽根を開閉方向に案内（運動規制）するガイド溝１３が形成してある。このガイド溝１３の構成については後述する。図示１４は押さえ板４１を固定する連結突起であり、突起内部にネジ穴が形成してある。
【００２８】
「第１摺動リング」
第１摺動リング１５（基板側摺動部材；以下同様）は、地板の羽根支持面１１ｘと絞り羽根２１との間に介在し、羽根部材が直接地板１１と接触するのを避ける。このため摺動部材１５はリング形状に形成され、以下これを摺動リングという。この第１摺動リング１５は中央部に光路開口１２を有するリング形状に形成されている。図示の第１摺動リング１５は地板１１と略々同一の平面形状に形成している。
【００２９】
この第１摺動リング１５は、後述する羽根部材２１との摩擦係数が小さい樹脂フィルムで形成されている。図示の第１摺動リング１５は後述する羽根部材２１と同一素材で、例えばポリエチレン樹脂フィルムの型抜き成形で形成されている。そして図４（ｂ）にその形状を示すように地板１１のガイド溝１３と一致するガイド溝１６が形成されている。このガイド溝１６については後述する。
【００３０】
従って、地板１１を樹脂のモールド成形で、第１摺動リング１５を樹脂フィルムの型抜き成形で形成する場合には、地板１１の形状精度に比べ摺動リング１５の形状精度を高精細に形成することが出来、また第１摺動リング１５の材質を絞り羽根２１と同一材質にすることによって熱変化などの温度特性は羽根部材と実質的に同一となる。
【００３１】
図示の第１摺動リング１５は地板１１と略々同一形状に形成され、中央に位置する光路開口１２の周縁に複数の絞り羽根２１（２１ａ〜２１ｉ）の基端部２１ｘを支持し、先端部２１ｙは光路開口内部に臨ませるように支持する（図６（ａ）参照）。
【００３２】
「羽根部材」
羽根組２は、複数の絞り羽根２１ａ〜２１ｉで構成されている。図示の絞り羽根２１は、９枚の羽根で構成され、各羽根の形状は同一形状に形成されている。図５に羽根形状の一例を示すが、基端部２１ｘは上述の第１摺動リング１５を介して地板１１に支持される。また羽根の先端部２１ｙは光路開口１２を開閉する。このとき複数の羽根部材の先端部２１ｘは互いに鱗状に重なり合って円形状の光路口径１２を形成する形状になっている。
【００３３】
各羽根部材２１ａ〜２１ｉには、図６（ａ）に示すように第１の突起（ガイドピン）２２と第２の突起（作動ピン）２３が表裏に植設されている。このガイドピン２２は各羽根部材に地板１１側に面する位置に配置され、作動ピン２３はその反対面（後述する第２基板側）に配置されている。このガイドピン２２は後述するように地板１１のガイド溝１３と、第１摺動リング１５のガイド溝１６に嵌合し、作動ピン２３は後述する作動部材３１の嵌合孔３３に嵌合する。なお、図示２４は羽根部材２１に第１第２の突起２２、２３を植設（例えば溶融接着）する際の位置決め孔であり、羽根外形状と第１第２の突起２２，２３の植設位置を設定する。
【００３４】
［ガイド溝とカイドピンの関係］
上述の地板１１に形成されたガイド溝１３と第１摺動リング１５に形成されたガイド溝１６と各羽根部材２１に形成されたガイドピン２２の関係について説明する。
【００３５】
地板１１のガイド溝１３は図６（ｂ）（ｃ）に示すように凹陥溝で構成され地板外部（同図矢印方向）の光が透過されない盲穴形状に形成されている。また地板１１をモールド成形で形成する関係から抜きテーパθが形成され、その平均内径はｄｃに設定されている。
【００３６】
また第１摺動リング１５のガイド溝１６は、内径ｄｂの貫通孔で形成されている。この貫通孔は樹脂フィルムの型抜き成形で均一径に形成されている。
【００３７】
一方、各絞り羽根２１ａ〜２１ｉにはガイドピン２２が植設され、その外径はｄａに設定されている。そこで、このピン外径ｄａとガイド溝内径ｄｂとの関係は、ｄａ≦ｄｂ＜ｄｃの関係に設定されている。つまり第１摺動リング１５のガイド溝１６は地板１１のガイド溝１３より狭小幅（ｄｂ＜ｄｃ）でガイドピン外径ｄａと適合する寸法（ｄａ≦ｄｂ）に設定されている。
【００３８】
従って同図に示すように各羽根部材２１に植設されたガイドピン２２は第１摺動リング１５のガイド溝１６と係合して運動規制され、地板１１のガイド溝１３とは接触しないこととなる。このためガイドピン２２はテーパθを有する地板１１のガイド溝１３と不安定に係合することがない。これによって羽根部材２１が傾くことも、浮き上がることもない。
【００３９】
［第２基板組の構成］
図３に従って第２基板組４と駆動リング組３について説明する。第２基板組４は押さえ板４１と、補強板４２と、押さえ板に固定した駆動ユニットＭで構成されている。また駆動リング組３は、作動部材３１と第２摺動リング３６で構成される。以下各構成について説明する。
【００４０】
「押さえ板」
押さえ板４１は図３に示すように中央部に開口４３を有するリング形状に形成され、前述の地板１１と略々同一形状に形成されている。図示の押さえ板４１は樹脂のモールド成形で、外周の一部に駆動ユニットＭの取付座４６が設けてある。この取付座４６に後述する駆動ユニットＭがビスなどで固定される。図示４５は押さえ板４１を地板１１の連結突起１４にビス止めする連結孔である。
【００４１】
「補強板」
補強板４２は、図３に示すように金属などの比較的強靭な板材で構成され、樹脂製の押さえ板４１を補強する。従って押さえ板４１に十分な強度が得られるときには補強板４２を省くことが可能である。この補強板４２は押さえ板４１と略々同一形状に形成され、中央に開口４４が形成してある。
【００４２】
上記押さえ板４１の開口４３と補強板４２の開口４４は、いずれも光路開口１２の開口径Ｄより大きく設定してあり、開口４３の開口径Ｄ１と開口４４の開口径Ｄ２と光路開口１２の開口径Ｄとは、Ｄ２≧Ｄ１＞Ｄに設定されている。
【００４３】
駆動リング組３は駆動モータ（後述の駆動ユニット）Ｍの駆動を絞り羽根２１に伝達する作動部材３１と、第２摺動リング３６で構成されている。
【００４４】
「作動部材」
作動部材３１は図３に示すように例えば樹脂のモールド成形で中央部に光路開口１２を有するリング形状（以下「駆動リング」という）に形成されている。この駆動リング３１は、補強板４２を介して押さえ板４１に回動自在に取り付けられている。このため駆動リング３１には光路開口１２の周縁にフランジ３２と係合突起３４が形成してある。フランジ３２は押さえ板４１の開口４３と補強板４２の開口４４に嵌合し、光路開口１２の中心と一致する回転中心で回動する。また係合突起３４は補強板４２と摺接する面に形成され両者を円滑に摺動するのを補助している。
【００４５】
駆動リング３１は上述のように押さえ板４１に回動自在に組み込まれ、その周縁の一部には受動歯３５が形成してある。この受動歯３５は押さえ板４１の取付座４６に取付けられた後述する駆動ユニットＭの駆動歯車５３と噛合する位置に設けられている。
【００４６】
上記駆動リング３１には、各絞り羽根２１に植設された作動ピン２３と嵌合する嵌合孔３３が光路開口１２の周縁に設けられている。この嵌合孔３３は絞り羽根２１の枚数に応じて光路開口１２の周縁に複数（図示のものは９個所）配置されている。
【００４７】
このような構成において駆動リング３１は、押さえ基板４１に回動自在に支持され、駆動ユニットＭの駆動歯車５３によって所定角度回転することとなる。そして駆動リング３１の回転は各羽根部材２１ａ〜２１ｉに伝達されることとなる。
【００４８】
「第２摺動リング」
第２摺動リング（押さえ板側摺動リング；以下同様）３６は図３に示すように中央に光路開口１２を有する樹脂フィルム（例えばポリエチレンなどの樹脂フィルム）で形成され、駆動リング３１と羽根部材２１の間に介在される。これは羽根部材２１と駆動リング３１が直接接触するのを避け、絞り羽根の円滑な開閉運動を得るためである。このため第２摺動リング３６は駆動リング３１と同様なリング形状に形成されている。この第２摺動リング３６には駆動リング３１の嵌合孔３３と合致する位置に嵌合孔３７が設けてある。
【００４９】
［駆動ユニットＭ］
図７に駆動ユニットＭの一実施形態を示す。同図の駆動ユニットＭはマグネットロータ５０と、ステータコイル５１と駆動回転軸５２と、駆動歯車５３と、ヨーク５４で構成されている。マグネットロータ５０は駆動回転軸５２と永久磁石５６を一体化して構成され、駆動回転軸５２の両端部はコイル枠５５に軸受け支持されている。永久磁石５６は外周にＮＳ２極が形成され、駆動回転軸５２には駆動歯車５３が取り付けられている。また、ステータコイル５１はコイル枠５５と、これに巻回されたコイル５８で構成されている。このコイル枠５５は内部にロータを内蔵するため、左右若しくは上下に２分割されている。このコイル枠５５にはブラケット５７が一体形成され、外周にヨーク５４が嵌装されている。
【００５０】
このような構成で、コイル５８に通電するとマグネットロータ５０は時計方向若しくは反時計方向に所定角度正逆転し、駆動歯車５３を正逆転する。このように構成された駆動ユニットＭは押さえ板４１の取付座４６にブラケット５７をネジなどで固定する。そして駆動歯車５３を駆動リング３１の受動歯３５に噛合する。これによって駆動リング３１は、図３時計方向と反時計方向に所定角度往復動し、絞り羽根２１を開閉動する。
【００５１】
［組立て状態の説明］
図１に従って光量調整装置Ａの組み立て状態を説明する。上述のように構成された地板１１に第１摺動リング１５を重ね合わせる。このとき地板１１に設けた位置決めピン１７が第一摺動リング１５の位置決め孔１８に嵌合して両者の位置決めがなされる。
【００５２】
地板１１と第１摺動リング１５を重ね合わせて、摺動リング１５上に第１〜第９絞り羽根２１ａ〜２１ｉを図２に示すように重ね合わせる。このとき各羽根部材２１のガイドピン２２をガイド溝１３とガイド溝１６に嵌合する。
【００５３】
次いで、図３に示すように各羽根部材２１の上に第２摺動リング３６を重ね合わせ、各羽根部材２１ａ〜２１ｉの作動ピン２３をリング側の嵌合孔３７に嵌合する。そこで押さえ板４１に補強板４２を重ね合わせて第２摺動リング３６上に重ね合わせる。このとき押さえ板４１にマウントした駆動ユニットＭの駆動歯車５３を摺動リング３１の受動歯３５と噛合させる。
【００５４】
そこで地板１１と押さえ板４１を固定ビスで固定する。これによって地板１１、第１摺動リング１５、羽根部材２１、第２摺動リング３６、駆動リング３１、補強板４２、押さえ板４１が順次上方に重ね合わせられ、一体化される。
【００５５】
［羽根の開閉動作］
次に、図５に従って絞り羽根の開閉動作について説明する。同図（ａ）は光路開口１２の周囲に複数の絞り羽根を配置した状態を示し、（ｂ）はこの複数の羽根の１枚の開閉動作状態を示す。同図（ａ）のように光路開口１２の周囲には、光路中心Ｏを基準に所定角度隔てた位置（図示のものは９枚の羽根を角度４０度ずつ隔てた位置）に複数の絞り羽根２１ａ〜２１ｉが鱗状に配置されている。各絞り羽根２１ａ〜２１ｉは地板１１に形成したガイド溝１３に第１の突起（ガイドピン）２２が嵌合してある。これと共に各絞り羽根２１ａ〜２１ｉに形成された第２の突起（作動ピン）２３は、駆動リング３１の嵌合孔３３に嵌合されている。
【００５６】
そして駆動リング３１は光路中心Ｏを中心に前述の駆動ユニットＭによって所定角度範囲で時計方向と反時計方向に回転する。このときの羽根の開閉動作を同図（ｂ）に従って説明する。作動ピン２３は駆動リング３１の回転で図示光路中心Ｏから半径Ｌの円弧軌跡ｘ−ｘで図示ｃ点からｄ点に同図時計方向に回転移動する。またガイドピン２２はガイド溝１６に沿って図示ｙ−ｙ軌跡でａ点からｂ点に移動する。
【００５７】
この作動ピン２３とガイドピン２２の移動で絞り羽根２１は同図実線（オープン状態）から同図破線（クローズ状態）に開閉動する。なお図示の装置はクローズ状態のとき光路開口１２は小口径の小絞り状態に設定され、オープン状態のときには全開状態に設定されている。従って駆動ユニットＭに供給する電流に応じて絞り羽根２１は、小絞り状態から全開状態に任意の開口径で開閉し、光路を通過する光量を大小調整することとなる。
【符号の説明】
【００５８】
Ａ          光量調整装置
１          第１基板組（地板組）
２          羽根組
３          駆動リング組
４          第２基板組（押さえ板組）
１１        地板
１１ｘ      羽根支持面
１２        光路開口
１３        ガイド溝
１４        連結突起
１５        第１摺動リング（基板側摺動部材）
１６        ガイド溝
１７        位置決めピン
１８        位置決め孔
２１        絞り羽根（羽根部材）２１ａ〜２１ｉ
２１ｘ      基端部
２１ｙ      先端部
２２        第１の突起（ガイドピン）
２３        第２の突起（作動ピン）
２４        位置決め孔
３１        作動部材（駆動リング）
３５        受動歯
３６        第２摺動リング（押さえ板側摺動リング）
４１        押さえ板
４２        補強板
４６        取付座
５０        マグネットロータ
５１        ステータコイル
ｄａ        ガイドピンの外径
ｄｃ        平均内径
ｄｂ        ガイド溝の内径
Ｍ          駆動ユニット
Ｄ          光路開口の開口径
【図１】
0005518682.tif 000002
【図２】
0005518682.tif 000003
【図３】
0005518682.tif 000004
【図４】
0005518682.tif 000005
【図５】
0005518682.tif 000006
【図６】
0005518682.tif 000007
【図７】
0005518682.tif 000008
【図８】
0005518682.tif 000009